(57)【特許請求の範囲】
【請求項１】
番組のデータおよびこのデータの著作権情報を受信し、この受信した前記データおよび前記著作権情報を出力する受信手段と、
時間を刻んだ時間情報を出力するタイマーと、
前記受信手段から入力された前記データおよび前記著作権情報とを、前記タイマーから入力された前記時間情報と共に記録媒体に記録する記録手段と、
前記記録媒体に記録されている前記データと前記著作権情報および前記時間情報を前記記録媒体から読み出す再生手段と、
前記再生手段から入力された前記時間情報と、前記タイマー手段から入力された前記時間情報との時間差を前記番組の再生位置毎に検出する時間差検出手段と、
ユーザーに対して前記再生手段により再生された著作権情報に応じて前記番組の再生位置毎の表示をする表示手段を備え、
前記表示手段は、前記時間差と所定の長さの時間との差に応じて表示する内容を変更することを特徴とする表示制御装置。
【請求項２】
前記著作権情報は、コピーを制御するためのコピー制御情報であることを特徴とする請求項１に記載の表示制御装置。
【請求項３】
前記著作権情報は、再生可能な時間または期間を示す情報であることを特徴とする請求項１に記載の表示制御装置。
【請求項４】
前記表示手段は、前記記録手段が前記記録した時間に応じた時系列のバーを表示し、前記時系列のバーの示す記録位置に応じて著作権情報に応じた表示をすることを特徴とする請求項１乃至３のいずれか１項に記載の表示制御装置。
【請求項５】
前記表示手段は、前記記録手段が前記記録した時間に応じた時系列のバーを表示し、このバーと前記再生手段の再生する再生位置に応じた位置にカーソルを表示し、前記バーに対する前記カーソルの位置に応じて著作権情報に応じた表示をすることを特徴とする請求項１乃至３のいずれか１項に記載の表示制御装置。
【請求項６】
前記時系列のバーは、前記所定の長さの時間以上長くならないように表示することを特徴とする請求項４または５に記載の表示制御装置。
【請求項７】
前記表示手段は、番組が切り替わると間隔を空けて前記時系列のバーを複数表示することを特徴とする請求項４乃至６のいずれか１項に記載の表示制御装置。
【請求項８】
前記表示手段は、前記時系列のバー毎に番組名を付して表示することを特徴とする請求項４乃至７のいずれか１項に記載の表示制御装置。
【請求項９】
前記著作権情報に応じた表示は、前記再生手段により再生された前記データをコピー可能か否かを示す表示であることを特徴とする請求項１または２に記載の表示制御装置。
【請求項１０】
前記著作権情報に応じた表示は、前記再生手段により再生された前記データを再生可能か否かを示す表示であることを特徴とする請求項１または３に記載の表示制御装置。
【請求項１１】
ユーザーが再生またはコピーしようとする位置を指定するための位置指定手段を備え、
前記表示手段は、前記位置指定手段の位置に応じて表示する内容を変更することを特徴とする請求項１乃至３のいずれか１項に表示制御装置。
【請求項１２】
前記表示手段は、文字または画像情報の内、少なくともいずれか一方を用いて著作権情報に応じた表示をすることを特徴とする請求項１乃至３のいずれか１項に記載の表示制御装置。
【請求項１３】
前記タイマーは、放送信号により送られた時刻情報を受信する手段であることを特徴とする請求項１乃至３のいずれか１項に記載の表示制御装置。
【請求項１４】
前記所定の長さの時間に関する情報は、放送局により前記データと共に送信され、この前記データを再生するときに用いられることを特徴とする請求項１乃至３のいずれか１項に記載の表示制御装置。
【請求項１５】
前記受信手段から入力された前記データおよび前記著作権情報とは、異なる記録媒体に記録されることを特徴とする請求項１乃至３のいずれか１項に記載の表示制御装置。
【請求項１６】
前記表示手段は、前記バーと前記再生手段の再生する再生位置に応じた位置に応じて前記カーソルの形状，明るさ，色，大きさの内、少なくともいずれか１つを変えて表示することを特徴とする請求項５に記載の表示制御装置。
【請求項１７】
受信手段により、番組のデータおよびこのデータの著作権情報を受信し、この受信した前記データおよび前記著作権情報を出力するステップと、
タイマーにより、時間を刻んだ時間情報を出力するステップと、
記録手段により、前記受信手段から入力された前記データおよび前記著作権情報とを、前記タイマーから入力された前記時間情報と共に記録媒体に記録するステップと、
再生手段により、前記記録媒体に記録されている前記データと前記著作権情報および前記時間情報を前記記録媒体から読み出すステップと、
時間差検出手段により、前記再生手段から入力された前記時間情報と、前記タイマー手段から入力された前記時間情報との時間差を前記番組の再生位置毎に検出するステップと、
表示手段により、ユーザーに対して前記再生手段により再生された著作権情報に応じて、前記時間差と所定の長さの時間との差に応じて前記番組の再生位置毎の表示をする内容を変更した表示をするステップとを備えたことを特徴とする表示制御方法。
【発明の詳細な説明】
【０００１】
【発明の属する技術分野】
この発明は、放送を受信する装置に関し、特に放送コンテンツを記録／再生する記録再生表示制御装置における表示制御装置および表示制御方法に関する。
【０００２】
【従来の技術】
従来、記録媒体に記録されているコンテンツの再生制限情報に基づいて再生制限に関する所定の表示を行うものとしては、例えば特開２００１−５６７８４号公報（ソニー株式会社）が知られており、再生データに対して付加された再生制限に関する再生制限情報の内容をユーザに対して分かり易く通知すると共に、再生データに対する再生処理を制限するようにする。
【０００３】
具体的には、フラッシュメモリ３０に記憶されている再生制限情報及び音楽データＤ１を有するディジタル音楽コンテンツＣ１から再生制限情報を検出し、当該検出した再生制限情報に基づいて再生制限に関する所定の表示を行うと共に、音楽データＤ１の再生処理に所定の制限を加えるようにしたことにより、音楽データＤ１に付加されている再生制限情報の内容を表示又は音声によってユーザに認識させ得ると共に、音楽データＤ１の再生処理を制限することができるものである。
【０００４】
上記文献においては、記憶されているコンテンツの再生回数，再生期限から、このコンテンツが再生可能か否かを表示する。しかし、この制御はコンテンツの再生場所と現在時刻に依存して変化する場合については何ら考慮されていない。
【０００５】
コンテンツは、このコンテンツの作成者によって著作権のもとにこのコンテンツの再生条件を指定される場合がある。著作権者としてはコンテンツのコピーはなるべくなら防ぎたい。しかし視聴者の利便性を考えると、例えばコンテンツが放送で配布される場合には、視聴者がこのコンテンツの放送時刻に受信しない限り、このコンテンツを視聴／記録（永久保存など）することができないという不便さがある。
【０００６】
この不便さを少しでも解消するため著作権者のコンテンツの再生条件として、（１）コンテンツを受信し、記録を開始してから、一定時間だけは蓄積し、再生しても良い、或いは、（２）一定時間だけは第１の記録媒体（例えばＨＤＤ（ハード・ディスク・ドライブ））に蓄積後、更に第２の記録媒体（例えばＤＶＨＳ（デジタルＶＨＳ））にコピーしても良いといった形態をとることにより、著作権者および視聴者の利便性を両立することができる。
【０００７】
具体例を説明すると、例えば放送局がある１２０分間の番組を放送する。なお、予めこの番組の再生条件としては、著作権者の意志で番組全体を記録保存することは認めないが、受信後９０分間迄なら記録媒体（例えばＨＤＤ）に記録し、繰り返し自由に見てよいものとして送信されているものとして説明する。
【０００８】
視聴者はこの番組を番組の放送開始から受信機で受信し、ＨＤＤに記録を開始する。視聴者は、この番組を受信開始から９０分間迄ならば、当該番組の頭迄戻り、ＨＤＤに記録した当該番組を番組の頭から自由に再生視聴すことができる。
【０００９】
この番組を受信開始から９０分経過した時点では、ＨＤＤに記録した９０分経過部分については順次再生不可となる。
【００１０】
例えば、この番組を受信開始から１００分経過した時点では、この番組受信開始時点から受信開始後１０分経過した時点迄はＨＤＤに記録した当該番組は再生不可となるが、この番組受信開始後１０分経過した時点から現在の時点迄の部分に関しては、ＨＤＤに記録した当該番組は再生し繰り返し視聴することができる。
【００１１】
また、当該番組の放送開始から１２０分が経過して当該番組の放送が終了した時点では、この番組受信開始後３０分経過した時点以降の部分に関しては、ＨＤＤに記録した当該番組は再生し繰り返し視聴することができる。
【００１２】
当該番組の放送開始から２１０分が経過した時点では、当該番組部分の全ての部分が受信後９０分経過しているため、当該番組についてはどの部分もＨＤＤから再生することはできなくなる。
【００１３】
つまり、コンテンツの部分部分に関して受信後９０分間はＨＤＤに保持されていたとしても、これはユーザーが視聴時間を一時的にずらすことを目的としたものであり、恒久的な蓄積ではないので、これを記録保存したとは見なさないものと考えて良い。
【００１４】
また、この考え方を「一回（一世代）なら記録保存することは認める」というコンテンツに対して適用することができる。
【００１５】
例えば放送局がある１２０分間の番組を放送する。なお、予めこの番組の再生条件としては、著作権者の意志で番組全体を一回（一世代）なら記録保存することは認めるし、９０分以内迄ならＨＤＤに記録したものを、別のメディア（例えばＤＶＨＳ）にコピーしてよいものとして送信する。
【００１６】
この場合、当該番組を受信後、９０分間以内迄ならＨＤＤに記録された番組を遡り、ＤＶＨＳにコピーすることができる。そして、当該番組の放送開始から２１０分が経過した時点では、当該番組部分の全ての部分が受信後９０分経過しているため、当該番組についてはどの部分もＨＤＤから再生し、コピーすることができなくなる。
【００１７】
従来、上記したように再生可能，コピー可能といった条件が、コンテンツの再生場所と現在時刻に依存して変化する場合については考慮されていないため、視聴者が再生しようとするコンテンツのどの部分が再生／コピー可能なのか等の情報を、視聴者に分かり易い形で表示（提示）することができないという問題があった。
【００１８】
【発明が解決しようとする課題】
このように従来の表示制御装置および表示制御方法においては、再生可能，コピー可能といった条件が、コンテンツの再生場所と現在時刻に依存して変化する場合については考慮されていないため、視聴者が再生しようとするコンテンツのどの部分が再生／コピー可能なのか等の情報を、視聴者に分かり易い形で表示（提示）することができないという問題があった。
【００１９】
この発明は、再生可能，コピー可能といった条件が、コンテンツの再生場所と現在時刻に依存して変化する場合についても、視聴者が再生しようとするコンテンツのどの部分が再生／コピー可能なのか等の情報を、視聴者に分かり易い形で表示（提示）することができる表示制御装置および表示制御方法を提供することを目的とする。
【００２０】
【課題を解決するための手段】
上記の目的を達成するために、この発明においては、番組のデータおよびこのデータの著作権情報を受信し、この受信した前記データおよび前記著作権情報を出力する受信手段と、時間を刻んだ時間情報を出力するタイマーと、前記受信手段から入力された前記データおよび前記著作権情報とを、前記タイマーから入力された前記時間情報と共に記録媒体に記録する記録手段と、前記記録媒体に記録されている前記データと前記著作権情報および前記時間情報を前記記録媒体から読み出す再生手段と、前記再生手段から入力された前記時間情報と、前記タイマー手段から入力された前記時間情報との時間差を前記番組の再生位置毎に検出する時間差検出手段と、ユーザーに対して前記再生手段により再生された著作権情報に応じて前記番組の再生位置毎の表示をする表示手段を備え、前記表示手段は、前記時間差と所定の長さの時間との差に応じて表示する内容を変更することを特徴とする表示制御装置提供する。
【００２１】
また、この発明においては、受信手段により、番組のデータおよびこのデータの著作権情報を受信し、この受信した前記データおよび前記著作権情報を出力するステップと、タイマーにより、時間を刻んだ時間情報を出力するステップと、記録手段により、前記受信手段から入力された前記データおよび前記著作権情報とを、前記タイマーから入力された前記時間情報と共に記録媒体に記録するステップと、再生手段により、前記記録媒体に記録されている前記データと前記著作権情報および前記時間情報を前記記録媒体から読み出すステップと、時間差検出手段により、前記再生手段から入力された前記時間情報と、前記タイマー手段から入力された前記時間情報との時間差を前記番組の再生位置毎に検出するステップと、表示手段により、ユーザーに対して前記再生手段により再生された著作権情報に応じて、前記時間差と所定の長さの時間との差に応じて前記番組の再生位置毎の表示をする内容を変更した表示をするステップとを備えたことを特徴とする表示制御方法を提供する。
【００２２】
【発明の実施の形態】
以下、図面を参照しながら本発明の実施の形態を説明する。
【００２３】
図１は、本発明に係る記録再生表示制御装置の構成を示す図である。
【００２４】
チューナー１０１は、放送コンテンツを受信し、この受信した受信コンテンツを共通バス１１０へ出力する。
【００２５】
ＣＰＵ１０４は、現在時刻タイマー１０２から受信時刻を読み出し、チューナー１０１からの受信コンテンツに関連付けてＨＤＤ１１１にファイルとして記録する。
【００２６】
ＣＰＵ１０４は、ユーザーからのリモコン等による指示をユーザー指示受信部１０３から読み取る。
【００２７】
ＣＰＵ１０４は後述するフローチャートに従って処理を行い、グラフィック発生装置１０５によりグラフィックを発生し、表示出力デバイス１０６に表示する。以下の説明で、特にことわらない限り、表示はこの表示出力デバイス１０６への表示を指す。
【００２８】
また、ＣＰＵ１０４はユーザーからの指示に応じて、既にＨＤＤ１１１に記録されているファイルをＨＤＤ１１１から読み出し、出力制御装置１１２を通じ、コピー可能の場合は外部出力端子１１３からコンテンツデータを出力する。出力制御装置１１２は、ＣＰＵ１０４がＨＤＤ１１１から読み出したデータを、ＣＰＵ１０４からの出力指示により外部に接続される機器が受信可能な形式に変換し、外部出力端子１１３へ出力する。
【００２９】
また、コンテンツデータが表示可能なデータの場合には、ＣＰＵ１０４はコンテンツデータをデコード装置１０７へ送る。デコード装置１０７は、入力されたコンテンツデータをデコードし、表示出力デバイス１０６へ送り、表示出力デバイス１０６ではデコードされたコンテンツを表示する。またコンテンツが音声の場合には、発音する。
【００３０】
コンテンツをＨＤＤ１１１へ記録する際の方法としては、コンテンツデータそのものに受信時刻或いは記録時刻を付加して同じファイルとして記録しても良いし、またコンテンツデータに関連付けて時刻情報ファイルを生成してコンテンツとは別のファイルとして記録しても良い。また、この時刻情報や著作権情報はＨＤＤ１１１ではなくＣＰＵ１０４のメモリー上に記録しても良い。
【００３１】
この明細書では、著作権情報の書き込み／読み出しについても、記録／再生と表現し、書き込み／読み出しと同じ意味を持つものとしている。
【００３２】
受信時刻或いは記録時刻を記憶することで、記録コンテンツがいつ受信、記録されたものかを知ることができる。受信時刻は必ずしもＨＤＤ１１１に記録する必要はなく、記録開始時刻のみをＣＰＵ１０４のレジスタやメモリー上に蓄えておいてもよい。コンテンツの各々の部分がいつ受信記録されたものかは、コンテンツ自信の長さや位置から算出することができる。
【００３３】
もし、データを暗号化してＨＤＤ１１１に記録する場合には、この記録時刻と鍵の情報とを演算して得た鍵データによってコンテンツデータを暗号化して記録しても良い。これにより記録したコンテンツの受信時刻あるいは記録時刻の改竄を防ぐことができる。
【００３４】
以下、この実施の形態では、時刻情報ファイルをコンテンツのファイルとは別に生成して記録するものとして説明を続ける。
【００３５】
次に、図２を用いて時刻情報ファイルの一例について詳細に説明する。図２は、コンテンツがＭＰＥＧ圧縮された映像を仮定した時刻情報ファイルの一例であり記録内容を示す図である。
【００３６】
図２において、映像データを１フレーム（ピクチャー）受信する毎に、時刻情報ファイルに一行（１エントリー）ずつ追加されていく。一行に入るデータとしては、（１）ピクチャーのピクチャー番号、（２）ＨＤＤ１１１に記録されているファイルの先頭からの位置を示す情報、（３）ピクチャーのタイプ、（４）このピクチャーを受信した時刻情報（年、月、日、時、分、秒、1/30秒）がある。
【００３７】
図２に示した例では、２００１年１１月２２日０１時００分００秒００／３０秒に受信したデータから記録が開始されている例となっている。
【００３８】
この（４）の"ピクチャーを受信した時刻情報"は、コンテンツの再生において、コンテンツにおけるその再生しようとする部分がいつ何時に受信したものか（放送されたものか）の情報を得るために使用される。
【００３９】
なお、（１）の"ピクチャー番号"も同様の目的で使用することができる。この"ピクチャー番号"からコンテンツの再生において、コンテンツにおけるその再生しようとする部分がいつ何時に受信したものか（放送されたものか）の情報を得るには、コンテンツの記録開始時刻を別途記録し、この記録開始時刻の値をＴsとし、ピクチャーの周波数は29.98Hzであることから、ピクチャー番号をＮとすると、当該ピクチャーの受信時刻或いは送信時刻は、Ｔｓ＋Ｎ／29.98（秒）として求めることができる。
【００４０】
また、ピクチャー番号については先頭から順番に１づつ増加する規則性を持っているため、これをあえて記録する必要はない。
【００４１】
次に、この時刻情報ファイルを用いて再生を行なうときの動作について説明する。
【００４２】
時刻情報ファイルの１エントリーは、（１）ピクチャー番号が4byte，（２）ＨＤＤ１１１に記録されている先頭バイト位置を示す情報が7byte，ピクチャーのタイプが1byte，そして受信した時刻が8byteの、合計20byteとなっている。
【００４３】
（２）の先頭バイト位置を示す情報は、記録データがＴＳパケット形式の場合はパケット数を示すような情報に替えて記録してもよい。例えば、視聴者が記録開始後１０秒目の位置へ飛んで再生しようとした場合、この記録開始後１０秒目の位置は、10［秒］×29.98［Hz］＝約300ピクチャー目であることが分かる。この300ピクチャー目の情報は、図２に示す時刻情報ファイルの先頭から300［ピクチャー］*20［byte／ピクチャー］=6,000［byte］目（6000番地〜6009番地）にエントリーがある。
【００４４】
図２に示す時刻情報ファイルのこのエントリーをアクセスすることで、（１）ピクチャー番号、（２）ＨＤＤ１１１に記録されているファイルの先頭からの位置を示す情報、（３）ピクチャーのタイプ、（４）受信した時刻情報を得ることができる。
【００４５】
次に、図３のフローチャートを用いて、ＨＤＤ１１１への記録開始処理の動作について説明する。
【００４６】
ＣＰＵ１０４は、ユーザー指示受信部１０３を通してユーザーからの記録開始指示を受ける（ステップ３０１）。
【００４７】
次にＣＰＵ１０４は、コンテンツの著作権情報を判定する。
【００４８】
著作権情報のうちコピーに関する種類にはコピーフリー(Copy Free)、コピーワンス(Copy
Once)、コピーネバー(Copy Never)があり、コピーフリーはコピー(複製)可能、コピーワンスは一回（一世代）のみコピー可能、コピーネバーはこれ以上コピー(複製)はできない（即ち、記録不可能）といった内容である。
【００４９】
コピーフリーはフリーコピー（Free Copy）、コピーワンスはワンスコピー（OnceCopy）、コピーネバーはネバーコピー（Never Copy）とも言われる場合がある。また、これ以上コピーできないという意味で、コピーネバーはノーモアコピー（NoMore Copy）や、コピーノーモア（Copy No More）と言われる場合がある。
【００５０】
また、この明細書では、著作権情報が「恒久的な蓄積(記録)ではなく、ユーザーが視聴時間を一時的にずらすことを目的として、一時的に受信機のＨＤＤ１１１等に蓄積しても良い」場合に、"ポーズ可能"と記載し、逆の場合に"ポーズ不可能"と記載している。
【００５１】
コンテンツが"コピー・ネバー（記録不可能）"かつ"ポーズ不可能"であるか否かを判定する（ステップ３０２）。
【００５２】
この実施の形態中、この「一時的」は従来の技術と同様に、９０分であるものとして以後説明するが、これは６０分，１２０分等９０分とは異なる所定の長さであっても良い。
【００５３】
また、この「一時的」時間の長さについても、例えば最初から９０分に固定されていてもよいし、放送局側からの著作権情報の１つとして予め決められた所定の時間（６０分、９０分、一日、一週間）のうちのどれを使うのか、或いは直接時間そのものが指定されるようであっても良い。また、「一時的」時間の長さが固定されている場合、番組の長さにより遡れる割合が変わってきてしまうという問題がある。この問題を防ぐために番組の長さに対する比率、例えば番組の長さの２５％（６０分番組で２５％の場合、遡れる時間は１５分）というような比率で指定するようにしても良い。
【００５４】
ＣＰＵ１０４は、ステップ３０２の判定で"コピー・ネバー"かつ"ポーズ不可能"となった場合（Yesの場合）には、「この番組は記録できません。」と文字或いはアイコン等の図形で表示出力デバイス１０６に表示するようグラフィック発生装置１０５を制御し、ユーザーにこの番組を記録できないことを提示し、実際記録も行わない（ステップ３０３）。
【００５５】
また、アイコン等での表示以外に、カーソルの形状、明るさ、色、大きさを変えて表示してもよい。
【００５６】
以後の説明でコピー不可能或いは再生不可能を示す場合に表示する「アイコン等の図形で表示」には、カーソルの形状、明るさ、色、大きさをコピー可能あるいは再生可能の場合と変えて表示することも含めるものとする。
【００５７】
また、同様に、以後の説明でコピー可能あるいは再生可能を示す場合に表示する「アイコン等の図形で表示」には、カーソルの形状、明るさ、色、大きさをコピー不可能あるいは再生不可能の場合と変えて表示することも含めるものとする。
【００５８】
反対に、ＣＰＵ１０４は、ステップ３０２の判定で"コピー・ネバー"かつ"ポーズ不可能"とならなかった場合（Noの場合）には、コンテンツが"記録不可能"かつ"ポーズ可能"であるか否かを判定する（ステップ３０４）。
【００５９】
ＣＰＵ１０４は、ステップ３０４の判定で"コピー・ネバー"かつ"ポーズ可能"となった場合（Yesの場合）には、「この番組は、ＨＤＤに蓄積後９０分以内の範囲なら遡って視聴することができます。」と文字或いはアイコン等の図形で表示出力デバイス１０６に表示するようグラフィック発生装置１０５を制御し、ユーザーにこの番組を一時的になら蓄積後遡って視聴することができる旨提示し、実際にＨＤＤ１１１へ記録を行う（ステップ３０５）。
【００６０】
反対に、ＣＰＵ１０４は、ステップ３０４の判定で"コピー・ネバー"かつ"ポーズ可能"とならなかった場合（Noの場合）には、コンテンツが"コピー・ワンス"かつ"ポーズ不可能"であるか否かを判定する（ステップ３０６）。
【００６１】
ＣＰＵ１０４は、ステップ３０６の判定でコンテンツが"コピー・ワンス"かつ"ポーズ不可能"となった場合（Yesの場合）には、「・この番組は、ＨＤＤに蓄積し何時でも遡って視聴することができます。・ＨＤＤに蓄積したものは外部記録機器へコピーすることはできません。」と文字或いはアイコン等の図形で表示出力デバイス１０６に表示するようグラフィック発生装置１０５を制御し、ユーザーにこの番組を一時的に遡って外部記録機器へコピーできない旨、およびこの番組についてはどの時点へでも遡って再生視聴することが可能である旨を提示し、実際にＨＤＤ１１１へ記録を行う（ステップ３０７）。
【００６２】
反対に、ＣＰＵ１０４は、ステップ３０６の判定でコンテンツが"コピー・ワンス"かつ"ポーズ不可能"とならなかった場合（Noの場合）には、コンテンツが"コピー・ワンス"かつ"ポーズ可能"であるか否かを判定する（ステップ３０８）。
【００６３】
ＣＰＵ１０４は、ステップ３０８の判定でコンテンツが"コピー・ワンス"かつ"ポーズ可能"となった場合（Yesの場合）には、「・この番組はＨＤＤに蓄積し、何時でも遡って視聴することができます。・この番組は、ＨＤＤに蓄積後９０分以内の範囲なら外部記録機器へコピーすることができます。」と文字或いはアイコン等の図形で表示出力デバイス１０６に表示するようグラフィック発生装置１０５を制御し、ユーザーにこの番組を一時的になら遡って外部記録機器へコピーすることができる旨、およびこの番組についてはどの時点へでも遡って再生視聴することが可能である旨を提示し、実際にＨＤＤ１１１へ記録を行う（ステップ３０９）。
【００６４】
反対に、ＣＰＵ１０４は、ステップ３０８の判定でコンテンツが"コピー・ワンス"かつ"ポーズ可能"とならなかった場合（Noの場合）には、「記録開始します。」と文字或いはアイコン等の図形で表示出力デバイス１０６に表示するようグラフィック発生装置１０５を制御し、ユーザーにこの番組を記録できる旨を、提示し、実際にＨＤＤ１１１へ記録を行う（ステップ３１０）。する。
【００６５】
尚、一般的にはコピーワンスの受信コンテンツの記録の際は、その著作権情報はノーモアコピーの状態で記録するが、本提案ではポーズ可能コンテンツは時間によってはコピーワンスで再生できるため、少なくともポーズ可能コンテンツの場合は著作権情報をコピーワンスとして記録し（ポーズ不可能コンテンツはその著作権情報をノーモアコピーに変えて記録して良いし、ポーズ可能コンテンツと同様に扱っても良い）、再生時に時間関係からコピー可能（コピーワンス）とするかコピー不可能（ノーモアコピー）とするかをＣＰＵ１０４により判定するようにしてもよい。
【００６６】
外部出力端子１１３から外部機器にコンテンツを出力する場合には、この判定結果に基づいた著作権情報を出力するものとしてもよい。
【００６７】
また、コピーワンスの受信コンテンツの記録の際、このコンテンツの著作権情報をノーモアコピーに変えてＨＤＤ１１１に記録し、元はコピーワンスであったことを示す情報を追加記録しておき、ポーズ可能コンテンツの場合、再生時に時間関係からコピー可能（コピーワンス）とするかコピー不可能（ノーモアコピー）とするか判定するようにしてもよい。
【００６８】
（コピー・ネバーコンテンツの再生時の処理）
【００６９】
本明細書中、コピーネバーコンテンツにはノーモアコピーコンテンツも含むものとして説明する。
【００７０】
次に、図４乃至図６のフローチャートを用いて、コピー・ネバーコンテンツの再生時の処理について説明する。
【００７１】
ＣＰＵ１０４は、ユーザーからのＨＤＤ１１１に記録されたコンテンツ（番組）の再生開始指示を、ユーザー指示受信部１０３を通して受ける（ステップ４０１）。
【００７２】
次にＣＰＵ１０４は、再生しようとするコンテンツが"ポーズ可能"か否かを判定する（ステップ４０２）。
【００７３】
次にＣＰＵ１０４は、ステップ４０２の判定の結果が"ポーズ可能"でない（ポーズ不可能）（No）の場合、「再生できません。」を文字或いはアイコン等の図形で表示出力デバイス１０６に表示する（ステップ４０３）。
【００７４】
ＣＰＵ１０４は、ステップ４０２の判定の結果が"ポーズ可能"（Yes）の場合、現在時刻はコンテンツ記録開始時刻に対して９０分以内の経過（即ち、現在時刻＜記録開始時刻＋９０分）か否かを判定する（ステップ４０４）。このとき、著作権情報が記録途中で変化した場合は、この変化した時点でコンテンツを区切り、変化した時点で区切られた各々のコンテンツについて独立に処理を行うものとし、変化した時点を各々のコンテンツにとっての記録開始時刻として扱う。
【００７５】
ＣＰＵ１０４は、ステップ４０４の判定の結果が（９０分以上経過している）（No）の場合、図６（ｂ）に示す９０分の記録長の時間を示すグラフィックバーを表示する（ステップ４０６）。この図６（ｂ）に示す例では、バー全体で記録時間が９０分を示すようにグラフィックバーが表示され、中央付近に"４５分"の目盛りが表示されている。そして、「ＨＤＤから外部記録機器にコピー不可能。再生表示可能。」といった旨を文字或いはアイコン等の図形で表示する。
【００７６】
次に、ＣＰＵ１０４は、ユーザーが再生を開始する指示を受信する（ステップ４０７）。
【００７７】
このユーザーが再生開始位置を指定する方法としては、リモコンに付いている巻き戻しや早送りボタン等を押すことや、画面上でグラフィックバーの上にある再生位置を示すカーソルをマウスやリモコンのカーソルボタンなどで移動させる方法がある。
【００７８】
次に、ＣＰＵ１０４は、ユーザーが再生を開始しようとする再生開始位置を読み取り、この再生開始位置が現在時刻から遡ること９０分以内か否かを判定する（ステップ４０９）。
【００７９】
次に、ＣＰＵ１０４は、ステップ４０９での判定の結果が、「９０分以内」（Yes）の指定と判定された場合は、次のステップ４１２へ移り、「ＨＤＤから外部記録機器にコピー不可能。再生表示可能。」を文字或いはアイコン等の図形で表示し、指定された再生開始位置から再生を開始する。このとき、図６（ｂ）に示すような画面表示を行う。
【００８０】
反対に、ＣＰＵ１０４は、ステップ４０９での判定の結果が「９０分以上」（No）の指定と判定された場合は、次のステップ４１１へ移り、「その部分は再生不可能。」を文字或いはアイコン等の図形で表示する。また、再生位置を示すカーソルを、再生可能範囲を示すグラフィックバーの上に戻す、或いは再生可能範囲から外れない範囲内に留める。これら両方行っても良い。このときの画面表示例を図６（ｃ）に示す。
【００８１】
この時、画面上に表示される画像は代替画像として、再生可能範囲の先頭画像に近い画像を表示しても良いし、明確に再生できないことを示すために全面青または黒あるいは予め決められた所定の画像等を表示してもよいし、直前に再生していた画像を表示しても良いし、現在放送中の画像を表示しても良い。
【００８２】
ＣＰＵ１０４は、ステップ４０４の判定の結果が「９０分以内」（Yes）の場合、図６（ａ）に示す記録長全体の時間を示すグラフィックバーを表示する（ステップ４０５）。この図６（ａ）に示す例では、記録長が４０分の例を示しており、バー全体で記録時間が４０分位を示すようにグラフィックバーが表示され、中央付近に"２０分"の目盛りが表示されている。そして、「ＨＤＤから外部記録機器にコピー不可能。再生表示可能。」といった旨を文字或いはアイコン等の図形で表示する。
【００８３】
次に、ＣＰＵ１０４は、ユーザーが再生を開始する指示を受信する（ステップ４０８）。
【００８４】
次に、ＣＰＵ１０４は、ユーザーが再生を開始しようとする再生開始位置を読み取り、この再生開始位置が記録長全体（再生可能部分）以内か否か（記録長全体から外れている）を判定する（ステップ４１０）。
【００８５】
次に、ＣＰＵ１０４は、ステップ４１０の判定の結果が、再生開始位置が記録長全体（再生可能部分）以内（Yes）と判定された場合は、次のステップ４１２へ移り、「ＨＤＤから外部記録機器にコピー不可能。再生表示可能。」を文字或いはアイコン等の図形で表示し、指定された再生開始位置から再生を開始する。このとき、図６（ａ）に示すような画面表示を行う。
【００８６】
反対に、ＣＰＵ１０４は、ステップ４１０の判定の結果が、再生開始位置が記録長全体（再生可能部分）以内でない（No）（記録長全体から外れている）と判定された場合は、次のステップ４１１へ移り、「その部分は再生不可能。」を文字或いはアイコン等の図形で表示する。また、再生位置を示すカーソルを、再生可能範囲を示すグラフィックバーの上に戻す、或いは再生可能範囲から外れない範囲内に留める。これら両方行っても良い。このときの画面表示例を図６（ｃ）に示す。
【００８７】
また、再生中や停止中にユーザーが再生位置の変更を指示した場合には、ステップ４０８，４０７から実行しても良い。
【００８８】
コンテンツの記録を開始すると、記録中のコンテンツは、そのコピーフリー、コピーワンス、コピーネバーなどの著作権情報が変化し、各図での判定結果、図４のステップ４０２やステップ４０４での判定結果が時々刻々と変化する場合もある。この場合は、それぞれのコンテンツについて各図（図４，５，７，８等）のフローを実行する。その結果、画面上の表示は、両者が混在したものとなる。
【００８９】
この例を図６（ｄ）に示す。この例では、記録は１８０分前に開始されたものである。そして記録開始から６０分間はコピーフリーで記録も再生も自由、その後現在まではコピーネバー，ポーズ可能の著作権情報に変化している。このためグラフィックバーは、左側の記録開始（０分）−（６０分）の６０分間を示す第１のグラフィックバーと、右側の（６０分）−（１８０分）の１２０分間の第２のグラフィックバーとの２つに分かれて表示されている。また、１２０分間のバーは６０分から９０分までの間と９０分から１８０分までの間で明るさや色や模様や太さを替えて表示する。しかし、通常は番組毎に異なるので、通常は番組の切り替わり目でバーが分かれることとなる。なお、この図６（ｄ）の例では、記録開始時点を０分とした相対時刻が表示されている。
【００９０】
なお、上記図４のフローの説明では、コピーネバーのコンテンツは、現在〜９０分前の間が再生可能なので、コピーネバーコンテンツに対しては１２０分前〜９０分前の時間のバーを示すことは意味がないので、図６（ｂ）に示す通り再生可能な部分のみをバーで表示するようにした。
【００９１】
しかし、これに限らず図６（ｇ）に示す通りコピーネバーのものでも１２０分前から現在までのバーを表示してしまって、１２０分前−９０分前の間は。再生不可能とするようにしても良い。図６（ｇ）の例では、記録は１８０分前に開始されたものである。そして記録開始から６０分間はコピーフリーで記録も再生も自由、その後現在まではコピーネバー，ポーズ可能の著作権情報に変化している。このためグラフィックバーは、左側の記録開始（０分）−（６０分）の６０分間を示す第１のグラフィックバーと、右側の（９０分）−（１８０分）の９０分間の第２のグラフィックバーとの２つに分かれて表示されている。コピーネバーコンテンツの場合は、９０分以上前の部分は再生できないので９０分を示すバーが示されればよい。
【００９２】
図６（ｄ）で、カーソルが左側の記録開始（０分）−（６０分）の６０分間を示す第１のグラフィックバーの上に位置するとき「ＨＤＤから外部記録機器にコピー可能。再生表示可能。」の文字或いはアイコン等の図形での表示が行われる。
【００９３】
また、カーソルが右側の（６０分）−（９０分）の３０分間の第２のグラフィックバーの上に位置するとき「ＨＤＤから外部記録機器にコピー不可能。再生表示不可能。」を文字或いはアイコン等の図形で表示する。
【００９４】
また、カーソルが右側の（９０分）−（１８０分）の９０分間の第２のグラフィックバーの上に位置するとき「ＨＤＤから外部記録機器にコピー不可能。再生表示可能。」を文字或いはアイコン等の図形で表示する。
【００９５】
図６（ｇ）で、カーソルが左側の記録開始（０分）−（６０分）の６０分間を示す第１のグラフィックバーの上に位置するとき「ＨＤＤから外部記録機器にコピー可能。再生表示可能。」の文字或いはアイコン等の図形での表示が行われる。
【００９６】
また、カーソルが右側の（９０分）−（１８０分）の１２０分間の第２のグラフィックバーの上に位置するとき「ＨＤＤから外部記録機器にコピー不可能。再生表示可能。」を文字或いはアイコン等の図形で表示する。
【００９７】
グラフィックバーには、カーソルがバー上の何処にあるかによってその時点から再生を行った場合の表示可能か、コピー可能かの情報が画面上に表示される。バーの位置が時間的に何時を指しているのか分かるようにするためメモリが付けられている。この例ではメモリとして記録開始時刻からの相対的な時間を示していたが、これに限らず現在時刻から遡って大きくなるように相対的な時間を示しても良い。また、相対的な時刻を示す他、絶対時刻で示すようにしても良い。
【００９８】
図６（ｅ）は絶対時刻で表示した場合の例を示す。番組は３：００から記録が開始され、この３：００から１時間はコピーフリーであり、この後４：００からコピーネバーの番組に変更されたものとする。現在が６：００だとすると、９０分遡った４：３０以後の部分のみが再生可能である。
【００９９】
図６（ｅ）では３：００から４：００迄の番組と、４：３０から６：００迄の番組とで著作権情報（コピー可能／不可能，ポーズ可能／不可能の条件）が異なることから、グラフィックバーも両者の間に隙間を空け、時間的不連続性を分かり易く表示している。
【０１００】
図６（ｅ）や図６（ｇ）に示したようにグラフィックバー間に隙間ができるときには、この隙間の大きさを図６（ｅ）に示すように隙間の時間分だけバーの縮尺を変えずに空けて表示するようにしても良いし、図６（ｇ）に示すように隙間が存在していることがわかる程度に隙間をより短くして表示するようにしても良い。図６（ｇ）に示すように、隙間をより短くして表示することにより、不要な隙間によりバーが見にくくなることを防ぐことができる。
【０１０１】
次に、図５に示すフローチャートを用いて、記録コンテンツの再生中／停止中の処理について説明する。
【０１０２】
この図５は、コンテンツが"コピーネバー"かつ"ポーズ可能"であるものとして説明する。
【０１０３】
現在時刻はコンテンツの記録開始時刻に対して９０分以内の経過（即ち、即ち、現在時刻＜記録開始時刻＋９０分）か否かを判定する（ステップ５０１）。なお、著作権情報が記録途中で変化した場合は、その変化した時点でコンテンツを区切り、変化した時点をその区切られたコンテンツにとっての記録開始時刻として扱う。
【０１０４】
ＣＰＵ１０４は、ステップ５０１での判定の結果、「９０分以内」（Yes）の場合は、記録長全体の時間を示すグラフィックバーを表示し、再生中／停止中の時間的位置をカーソルで表示する（ステップ５０２）。
【０１０５】
また、ＣＰＵ１０４は、ステップ５０１での判定の結果、「９０分以上」（No）の場合は、現在時刻より過去９０分の時間を示すグラフィックバーを表示し、再生中／停止中の時間的位置をカーソルで表示する（ステップ５０３）。
【０１０６】
図６（ｅ）で再生停止中の場合から１０分経過したときの例を図６（ｆ）に示す。４：００から記録しているコンテンツは"コピーネバー"かつ"ポーズ可能"で、現在時刻が６：１０になると、４：４０以後からは見ることができる。また、３：００から４：００迄のコンテンツについてはコピーフリーのコンテンツのため、時間が経過しても再生は可能である。
【０１０７】
停止中の場合は、停止位置が９０分の時間範囲を外れてしまう場合がある。この場合は、再生不可能の旨を再生可能時とカーソルの形状，明るさ，色，大きさの内、少なくともいずれか１つを変えて表示したり文字或いはアイコン等の図形で表示する。（図６（ｈ））この例ではカーソルを黒くし、Ｘを示すアイコンを表示している。
【０１０８】
或いは、再生位置カーソルを自動的に現在時刻より９０分前の位置に移動する。即ち、カーソルを表示可能な再生可能な一番古い位置に配置させておく。これらの処理はユーザーからのリモコンなどによる実行指示の有ってもが無くても行って良い。
【０１０９】
（コピー・ワンス（Copy Once）のコンテンツの再生時の処理）
【０１１０】
次に、図７乃至図９を用いて、コピー・ワンスコンテンツの再生時の処理について説明する。ユーザーからＨＤＤ１１１に記録されたものを再生しようという選択を受ける（ステップ７０１）。
【０１１１】
ＣＰＵ１０４は、コンテンツがポーズ可能か否か判定する（ステップ７０２）。
【０１１２】
ＣＰＵ１０４は、ステップ７０２の判定の結果が「ポーズ不可能」（No）の場合、「ＨＤＤから外部記録機器にはコピー不可能。」を文字或いはアイコン等の図形で表示する（ステップ７０３）。
【０１１３】
ＣＰＵ１０４は、記録長全体の時間を示すグラフィックバーを表示する（ステップ７２０）。
【０１１４】
ＣＰＵ１０４は、ユーザーからの再生指示を受信する（ステップ７２１）。
【０１１５】
ＣＰＵ１０４は、ユーザーからの指定された再生開始位置が、記録長（再生可能部分）全体の範囲内であるか否かを判定する（ステップ７２２）。
【０１１６】
ＣＰＵ１０４は、ステップ７２２での判定の結果、再生位置が記録長における再生可能部分の全体の範囲内である（Yes）場合、「ＨＤＤから外部記録機器にコピー不可能。再生表示可能。」を文字或いはアイコン等の図形で表示し、再生を実行する。このとき、図９（ｂ）に示すような画面表示を行う。
【０１１７】
また、ＣＰＵ１０４は、ステップ７２２での判定の結果、再生位置が記録長における再生可能部分の全体から外れている（No）場合、指定された再生開始位置を示して「再生表示不可能。」を文字或いはアイコン等の図形で表示するか、カーソルを再生可能範囲内に留めるか、どちらかまたは両方を行う（ステップ７２３）。このとき、図９（ｃ）に示すような画面表示を行う。
【０１１８】
図９（ｃ）は、ユーザーからの再生開始位置指定が記録範囲を超えているので、ＨＤＤから外部記録機器にコピー不可能。表示再生不可能。」のメッセージが文字またはアイコン等の図形で表示される。また、この例ではカーソルを黒くし、Ｘを示すアイコンを表示している。このとき、画像表示は代替画像として、全面青や黒の表示を行っても良いし、再生可能な部分の先頭の近傍を示す場所の画像を表示しても良いし、直前に再生していた画像を表示しても良いし、現在放送中の画像を表示しても良い。
【０１１９】
ＣＰＵ１０４は、ステップ７０２の判定の結果が「ポーズ可能」（Yes）の場合、コンテンツ記録開始時刻に対して現在時刻が９０分以内か否かを判定する（ステップ７０４）。このとき、著作権情報が記録途中で変化した場合は、この変化した時点でコンテンツを区切り、変化した時点をその区切られたコンテンツにとっての記録開始時刻として扱い、各々のコンテンツに対して図４，５，７，８，１１の該当する処理を適用する。
【０１２０】
ＣＰＵ１０４は、ステップ７０４の判定の結果が「９０分以上」（No）の場合、現時点から遡って９０分前迄の９０分間と、これ以前を外見上区別したグラフィックバーを表示する（ステップ７０６）。例えば記録開始から２４０分経過しているとすると１５０分の時点より前と後を示すグラフィックバーは外観が異なっている。
【０１２１】
次に、ＣＰＵ１０４は、ユーザーが再生を開始する指示を受信する（ステップ７０７）。
【０１２２】
このユーザーが再生開始位置を指定する方法としては、リモコンに付いている巻き戻しや早送りボタンなどを押すことや、画面上でグラフィックバーの上にある再生位置を示すカーソルをマウスやリモコンのカーソルボタンなどで移動させる方法がある。
【０１２３】
次に、ＣＰＵ１０４は、ユーザーが再生を開始しようとする再生開始位置を読み取り、この再生開始位置が現在時と比べて９０分以内か否かを判定する（ステップ７０９）。
【０１２４】
次に、ＣＰＵ１０４は、ステップ７０９での判定の結果が、「９０分以内」（Yes）の指定と判定された場合は、次のステップ７１２へ移り、「ＨＤＤから外部記録機器にコピー可能。再生表示可能。」を文字或いはアイコン等の図形で表示し、指定された再生開始位置から再生を開始する。このとき、図９（ａ）に示すような画面表示を行う。
【０１２５】
反対に、ＣＰＵ１０４は、ステップ７０９での判定の結果が「９０分以上」（No）の指定と判定された場合は、上述したステップ７２２へ移り、同様の処理が行われる。
【０１２６】
ＣＰＵ１０４は、ステップ７０４の判定の結果が「９０分以内」（Yes）の場合、記録長全体の時間を示すグラフィックバーを表示する（ステップ７０５）。
【０１２７】
次に、ＣＰＵ１０４は、ユーザーが再生を開始する指示を受信する（ステップ７０８）。
【０１２８】
次に、ＣＰＵ１０４は、ユーザーが再生を開始しようとする再生開始位置を読み取り、この再生開始位置が記録長全体（再生可能部分）以内か否か（記録長全体から外れている）を判定する（ステップ７１０）。
【０１２９】
次に、ＣＰＵ１０４は、ステップ７１０の判定の結果が、再生開始位置が記録長全体（再生可能部分）以内（Yes）と判定された場合は、次のステップ７１２へ移り、「ＨＤＤから外部記録機器にコピー可能。再生表示可能。」を文字或いはアイコン等の図形で表示する。
【０１３０】
反対に、ＣＰＵ１０４は、ステップ７１０の判定の結果が、再生開始位置が記録長全体（再生可能部分）以内でない（No）（記録長全体から外れている）と判定された場合は、次のステップ７１１へ移り、「その部分は再生不可能。」を文字或いはアイコン等の図形で表示する。
【０１３１】
また、再生中や停止中にユーザーが再生位置の変更を指示した場合には、ステップ７０８，７０７，７２１から実行しても良い。
【０１３２】
次に、上記した図９（ａ），（ｂ）について説明する。
【０１３３】
現在時刻（図では"（現在）"と記載）は、記録開始から２４０分経過した時点である。記録開始（０分）から記録開始後１５０分迄の１５０分間については、表示のみが可能，コピーはできないことを示すために、灰色（斜線）のグラフィックバーにて表示されている。また、記録開始後１５０分（現在より９０分遡った時点）から現在迄が表示可能かつコピー可能であり、この範囲は黒く塗り潰したグラフィックバーにて表示される。
【０１３４】
図９（ａ）は再生位置指定（カーソル）が記録開始から１６５分の位置の場合を示しており、画面上に「ＨＤＤから外部記録機器にコピー可能。再生表示可能。」のメッセージが文字またはアイコン等の図形で表示される。
【０１３５】
図９（ｂ）は再生位置指定が記録開始から５０分の位置の場合を示しており、画面上に「ＨＤＤから外部記録機器にコピー不可能。表示再生可能。」のメッセージが文字またはアイコン等の図形で表示される。このときカーソルの形や色や明るさや大きさを図９（ａ）の場合と変えるようにして（ａ）の状態からの変化がユーザーに認識し易いようにしても良い。
【０１３６】
記録コンテンツの著作権情報が、記録開始後に変化する場合の画面表示例を図９（ｄ）に示す。
【０１３７】
この図９（ｄ）に示す例では、現在は記録開始から１８０分経過しているものである。記録開始からの３０分間は"コピーフリー"、その後"コピー・ワンス"になったものとする。
【０１３８】
すると、表示は、まずコピーフリーのものについては、「ＨＤＤから外部記録機器にコピー可能。再生表示可能。」となる。このため黒いグラフィックバーでこの部分について示される。その後については、記録開始後３０分から記録開始後９０分迄の６０分間は９０分経過してしまっているためコピー不可で、再生表示可能のため、灰色のグラフィックバーで示され、９０分から現在時刻の１８０分迄は黒のグラフィックバーで示される。再生位置を示すカーソルが３０分から９０分迄の間にある場合には、「ＨＤＤから外部記録機器にコピー不可。再生表示可能。」のメッセージが文字またはアイコン等の図形で表示される。
【０１３９】
なお、図９（ｄ）では、時刻の表示を記録開始時点を０分とした相対時刻で表示を行ったが、図９（ｅ）に示すように絶対時刻で表示しても良い。
【０１４０】
図９（ｅ）では、記録開始は１：３０で、現在時刻は４：００とする。１：３０からの３０分は受信コンテンツは"コピーフリー"で、その後、"コピー・ワンス"になったものとする。
【０１４１】
１：３０から２：００迄は"ＨＤＤから外部記録機器にコピー可能"のため、黒いグラフィックバーで、２：００〜２：３０は９０分経過してしまっているため"ＨＤＤから外部記録機器にコピー不可能、表示のみ可能"のため、灰色のグラフィックバーで、２：３０から４：００迄は"ＨＤＤから外部記録機器にコピー可能"を示すために黒いグラフィックバーで示される。再生位置を示すカーソルが２：５０を示している。このため画面上には「ＨＤＤから外部記録機器にコピー可能。再生表示可能。」のメッセージが文字またはアイコン等の図形で表示される。
【０１４２】
次に、図８の記録コンテンツの再生中／停止中の処理フローを用いて、再生中／停止中の動作について説明する。
【０１４３】
この図８は、コンテンツが"コピー・ワンス"であるものとして説明する。
【０１４４】
ＣＰＵ１０４は、再生／停止中のコンテンツがポーズ可能か否かを判定する（ステップ８０１）。
【０１４５】
ステップ８０１での判定の結果が「ポーズ不可能」（No）の場合、記録長全体の時間を示すグラフィックバーを表示し、再生中または停止中の時間的位置をカーソルで表示する（ステップ８０５）。
【０１４６】
次に「ＨＤＤから外部記録機器にコピー不可能。再生表示可能。」を文字或いはアイコン等の図形で表示する（ステップ８０８）。
【０１４７】
ステップ８０１での判定の結果が「ポーズ可能」（Yes）の場合、現在時刻はコンテンツ記録開始時刻から９０分以内か否かを判定する（ステップ８０２）。
【０１４８】
ステップ８０２での判定の結果が「９０分以内」（Yes）の場合、記録長全体の時間を示すグラフィックバーを表示し、再生中／停止中の時間的位置をカーソルで表示する（ステップ８０４）。
【０１４９】
次に「ＨＤＤから外部記録機器にコピー可能。再生表示可能。」を文字或いはアイコン等の図形で表示する（ステップ８０７）。
【０１５０】
ステップ８０１での判定の結果が「９０分以上」（No）の場合は、現在時刻点より９０分過去に遡った９０分間と、それ以外を外見上区別したグラフィックバーで表示し、再生中／停止中の時間的位置をカーソルで表示する（ステップ８０３）。
【０１５１】
次に、現在の再生／停止位置が、現時点から遡って９０分以内か否かを判定する（ステップ８０６）。
【０１５２】
ステップ８０６での判定の結果が、「現時点から遡って９０分以内」（Yes）の場合、「ＨＤＤから外部記録機器にコピー可能。再生表示可能。」を文字或いはアイコン等の図形で表示する（ステップ８０７）。
【０１５３】
ステップ８０６での判定の結果が、「現時点から遡って９０分以上経過」（No）の場合、「ＨＤＤから外部記録機器にコピー不可能。再生表示可能。」を文字或いはアイコン等の図形で表示する。
【０１５４】
図９（ｆ）は、図９（ｅ）の時点で再生を停止した後、３０分経過した後の画面の表示例を示す。カーソル位置は２：５０を示しており、現在時刻が４：３０となった今、２：５０の点は現在時刻より遡って９０分以上前の時刻となる。このためカーソルの位置は灰色のグラフィックバーの上に位置し、画面上に「ＨＤＤから外部記録機器にコピー不可。表示再生可。」を文字或いはアイコン等の図形で表示する。
【０１５５】
記録コンテンツの著作権情報が１：３０から２：００迄は"コピー・ネバー"で、２：００から４：００迄は"コピー・ワンス"となった場合の表示の例を図１０（ａ）に示す。
【０１５６】
この表示は図４，５，７，８の処理フローをそれぞれに適用した結果得ることができる。１：３０から２：３０迄は灰色のグラフィックバーにより"コピー不可能"を示す。また、この範囲にカーソルを持ってくると、「ＨＤＤから外部記録機器にコピー不可能。」を文字またはアイコン等の図形で表示する。２：３０から４：００の範囲にカーソルを持ってくると、「ＨＤＤから外部記録機器にコピー可能。」を文字またはアイコン等の図形で表示する。
【０１５７】
コピーを行う場合に自動的に再生位置を示すカーソルをコピー可能の一番古い位置に移動させる。この処理は図７のステップ７０６やステップ７０５の中で同時に行う。そして、その時点のサンプル画面をＨＤＤ１１１より読み出し、表示出力デバイス１０６に画面表示する。
【０１５８】
記録コンテンツの著作権情報が１：３０から３：３０迄は"コピー・ワンス"で、３：３０から４：００迄は"コピー・ネバー"となった場合の表示の例を図１０（ｂ）に示す。この表示は図４，５，７，８の処理フローをそれぞれに適用した結果得ることができる。
【０１５９】
１：３０から２：３０迄と３：３０から４：００迄の範囲は灰色のグラフィックバーにより"コピー不可能"を示す。また、この範囲にカーソルを持ってくると、「ＨＤＤから外部記録機器にコピー不可能。」を文字またはアイコン等の図形で表示する。２：３０から３：３０の範囲にカーソルを持ってくると、「ＨＤＤから外部記録機器にコピー可能。」を文字またはアイコン等の図形で表示する。
【０１６０】
初めからユーザーがコピーを目的として、ＨＤＤ１１１に記録したコンテンツを再生したい場合がある。このときにはコピーできない領域がユーザー・インターフェース画面を通じて指定できることは紛らわしく使い勝手が悪い。
【０１６１】
図１１は、ＨＤＤ１１１に記録した"コピー・ワンス"の著作権情報を持ったコンテンツをＨＤＤ１１１から外部記録機器にコピーする場合の処理フローを示す。
【０１６２】
ユーザーがＨＤＤ１１１から外部記録機器へのコピーを選択する（ステップ１１０１）。
【０１６３】
ＣＰＵ１０４は、コンテンツがポーズ可能かを判定する（ステップ１１０２）。
【０１６４】
ＣＰＵ１０４は、ステップ１１０２での判定の結果が、「ポーズ不可能」（No）の場合、「ＨＤＤから外部記録機器にコピー不可能。」を文字またはアイコン等の図形で表示する（ステップ１１０３）。
【０１６５】
ＣＰＵ１０４は、ステップ１１０２での判定の結果が、「ポーズ可能」（Yes）の場合、コンテンツ記録開始時刻に対して現在時刻は９０分以内かを判定する（ステップ１１０４）。
【０１６６】
ＣＰＵ１０４は、ステップ１１０４での判定の結果が、「９０分以内」（Yes）の場合、記録長（再生可能部分）全体の時間を示すグラフィックバーを表示する（ステップ１１０６）。
【０１６７】
また、ＣＰＵ１０４は、ステップ１１０４での判定の結果が、「９０分以上」（No）の場合、９０分の時間を示すグラフィックバーを表示する（ステップ１１０５）。
【０１６８】
ＣＰＵ１０４は、ステップ１１０５，ステップ１１０６の次に、ユーザーから再生指示を受ける（ステップ１１０７）。
【０１６９】
ＣＰＵ１０４は、上記ステップ１１０７で再生指示を受けると、出力制御装置１１２を設定し上記ステップ１１０７で指定された位置からコンテンツのデータを再生し、外部出力端子１１３を介してを外部記録装置へコピーするために出力する（ステップ１１０８）。
【０１７０】
ステップ１１０５の処理結果による画面表示例を図１２（ａ）に示す。「ＨＤＤから外部記録機器にコピー可能な位置はここからです。」を示す旨を文字またはアイコン等の図形で表示し、ステップ１１０５の処理の中でカーソルを再生可能な一番古い時間的位置を示す場所に移動する。
【０１７１】
記録開始から６０分間は"コピーフリー"のコンテンツを記録し、その後"コピー・ワンス"のコンテンツを１２０分記録し、累計で１８０分経過した時点では、これまでの処理の組み合わせにより、図１２（ｂ）のように表示を行う。記録開始から６０分間と、９０分後から現在迄の９０分間はコピー可能で、その時間範囲のグラフィックバーを表示する。
【０１７２】
なお、図１２（ｂ）に示す６０分−９０分間については、最初からコピーは出来ないところなので見えない方がよい「場合」もある。
【０１７３】
この場合には６０分−９０分間を隙間とする。そしてこの隙間については、この隙間の大きさを図６（ｅ）に示すように隙間の時間分だけバーの縮尺を変えずに空けて表示するようにしても良いし、図６（ｇ）に示すように隙間が存在していることがわかる程度に隙間をより短くして表示するようにしても良い。隙間をより短くして表示することにより、不要な隙間によりバーが見にくくなることを防ぐことができる。
【０１７４】
図１２（ｃ）は、カーソル位置の再生画面の他、生で受信した画面を同時に表示するようにした例である。これにより、常に生で受信した画面を視聴することができるので、最新に送られた重要な情報を取りこぼすことがない。
【０１７５】
また、上記説明ではカーソル位置に対するコピー可能／不可能、再生表示可能／不可能しか表示していなかったが、これに代え図１２（ｄ）に示す通り、ＨＤＤから外部記録機器にコピー可能／不可能、再生表示可能／不可能の各領域毎に表示をするようにしても良い。
【０１７６】
以上の説明では、現在時刻タイマー１０２は、現在の時刻を示すものとして説明してきたが、受信時刻と現在時刻の差が処理の切り替えに用いられていることから、現在時刻タイマー１０２は、正確な現在時刻を示している必要はなく、世界標準時や日本の標準時と外れていてかまわない。つまり受信機内部で一定の刻みで時間をカウントしているカウンターによっても本発明を実施することができる。
【０１７７】
また、これまで画面上に文字やアイコン等の図形で表示してきた情報は、受信機のフロントパネル上のＬＥＤや液晶パネルなどの表示デバイスを用いて表示しても本発明の効果を得ることができる。
【０１７８】
また、図では示さないが、バーに番組タイトルを重ねて表示するようにすると、過去に視聴した何という番組が視聴可／不可、コピー可／不可等を容易に知ることが出来る。
【発明の効果】
以上説明したようにこの発明によれば、再生可能、コピー可能といった条件が、コンテンツの再生しようとする部分が再生可能か、コピー可能か、どの部分なら再生可能か、コピー可能か、などの情報を視聴者に分かり易い形で表示することができる。
【図面の簡単な説明】
【図１】本発明に係る表示制御装置の構成を示すブロック図。
【図２】時刻情報ファイルの一例を示す図。
【図３】ＨＤＤへの記録開始処理を説明するためのフローチャート。
【図４】コピー・ネバー（Copy Never）コンテンツの再生時の動作を説明するためのフローチャート。
【図５】コピー・ネバー（Copy Never）コンテンツの再生中／停止中の処理を説明するためのフローチャート。
【図６】本発明の表示制御装置での表示画面の表示例を説明するための図。
【図７】コピー・ワンス（Copy Once）コンテンツの再生時の動作を説明するためのフローチャート。
【図８】コピー・ワンス（Copy Once）コンテンツの再生中／停止中の処理を説明するためのフローチャート。
【図９】本発明の表示制御装置での表示画面の表示例を説明するための図。
【図１０】本発明の表示制御装置での表示画面の表示例を説明するための図。
【図１１】コピー・ワンス（Copy Once）の著作権情報を持ったコンテンツをＨＤＤから外部記録機器にコピーする場合の動作を説明するためのフローチャート。
【図１２】本発明の表示制御装置での表示画面の表示例を説明するための図。
【符号の説明】
１０１…チューナ、１０２…現在時刻タイマー、１０３…ユーザー指示受信部、１０４…ＣＰＵ、１０５…グラフィック発生装置、１０６…表示出力デバイス、１０７…デコード装置、１１０…共通バス、１１１…ＨＤＤ、１１２…出力制御装置、１１３…外部出力端子。
【図１】
0003663149.tif 000002
【図２】
0003663149.tif 000003
【図３】
0003663149.tif 000004
【図４】
0003663149.tif 000005
【図５】
0003663149.tif 000006
【図６】
0003663149.tif 000007
【図７】
0003663149.tif 000008
【図８】
0003663149.tif 000009
【図９】
0003663149.tif 000010
【図１０】
0003663149.tif 000011
【図１１】
0003663149.tif 000012
【図１２】
0003663149.tif 000013